(57)【要約】【課題】様々な放送メディアから情報を自動で収集し、記録する情報収集装置を提供する。【解決手段】放送メディアから情報を受信して再生するための受信手段と、受信手段によって受信した受信情報を記録する第１の記録手段と、受信情報から特定の受信情報を抽出するための抽出情報を設定する抽出情報設定手段と、特定の受信情報を抽出するために、受信情報の中に、抽出情報と合致する特定の受信情報が存在するかどうかを判別する判別手段と、抽出情報が合致した時点を基準値として、基準値から遡る第１の設定時間を設定する第１の時間設定手段と、第１の設定時間遡った時点から基準値までの記録時間を設定する記録時間設定手段と、判別手段によって、抽出情報と合致する特定の受信情報が存在すると判別された場合に、受信情報のうち、抽出情報に合致する特定の受信情報を含む記録情報を、記録時間、記録する第２の記録手段と、記録情報を出力する出力手段と、を備える。【選択図】図1
2007172278.tif 000002
【特許請求の範囲】
【請求項１】
放送メディアから情報を収集するための情報収集装置であって、
前記放送メディアから情報を受信して再生するための受信手段と、
前記受信手段によって受信した受信情報を記録する第１の記録手段と、
前記受信情報から特定の受信情報を抽出するための抽出情報を設定する抽出情報設定手段と、
前記特定の受信情報を抽出するために、前記受信情報の中に、前記抽出情報と合致する前記特定の受信情報が存在するかどうかを判別する判別手段と、
前記抽出情報が合致した時点を基準値として、前記基準値から遡る第１の設定時間を設定する第１の時間設定手段と、
前記第１の設定時間遡った時点から前記基準値までの記録時間を設定する記録時間設定手段と、
前記判別手段によって、前記抽出情報と合致する前記特定の受信情報が存在すると判別された場合に、前記受信情報のうち、前記抽出情報に合致する前記特定の受信情報を含む記録情報を、前記記録時間、記録する第２の記録手段と、
前記記録情報を出力する出力手段と、
を備えたことを特徴とする情報収集装置。
【請求項２】
前記抽出情報は、少なくとも、文字列、音声、静止画および動画を含む画像、の中から１つ以上設定することを特徴とする請求項１記載の情報収集装置。
【請求項３】
前記基準値から開始される第２の設定時間を設定する第２の時間設定手段をさらに備え、
前記第２の記録手段は、前記第２の設定時間も記録することを特徴とする請求項１記載の情報収集装置。
【請求項４】
前記記録時間設定手段は、前記第１の設定時間と前記第２の設定時間以内に、さらに他の抽出情報が判別されると、最後に判別された前記他の抽出情報から前記記録時間を延長する記録時間延長手段を備えたことを特徴とする請求項１記載の情報収集装置。
【請求項５】
前記判別手段は、前記抽出情報に文字列を設定したとき、前記受信情報から前記抽出情報に該当する音声を判別すると共に前記音声を文字列に変換して前記抽出情報を判別することを特徴とする請求項１記載の情報収集装置。
【請求項６】
前記情報収集装置は、
前記受信手段としてのチューナ回路部と、
前記設定手段と、前記判別手段と、前記第２の記録手段と、前記出力手段を備えた収集装置と、
から構成され、
前記チューナ回路部及び前記収集装置の両方の動作を可能にする第１の動作モードと、
前記チューナ回路部と前記収集装置の前記出力手段のみの動作を可能にする第２の動作モードと、
前記第１の動作モードにおいて、前記出力手段を除くすべての動作を可能にする第３の動作モードと、
を切り替える切替手段とをさらに備えたことを特徴とする請求項１記載の情報収集装置。
【請求項７】
前記切替手段は、前記第３の動作モードで動作中に、前記キーワードと合致する前記特定の受信情報を前記判別手段が判別すると、前記第３の動作モードから前記第１の動作モードに切り替えることを特徴とする請求項５記載の情報収集装置。
【請求項８】
放送メディアから情報を収集するための情報収集方法であって、
前記放送メディアから情報を受信して再生するための工程と、
前記放送メディアから情報を受信するための受信手段によって受信した受信情報を記録する工程と、
前記受信情報から特定の受信情報を抽出するための抽出情報を設定する工程と、
前記特定の受信情報を抽出するために、前記受信情報の中に、前記抽出情報と合致する前記特定の受信情報が存在するかどうかを判別する工程と、
前記抽出情報が合致した時点を基準値として、前記基準値から遡る第１の設定時間を設定する工程と、
前記第１の設定時間遡った時点からの記録時間を設定する工程と、
前記抽出情報と合致する前記特定の受信情報が存在すると判別された場合に、前記受信情報のうち、前記抽出情報に合致する前記特定の受信情報を含む記録情報を、前記記録時間、記録する工程と、
前記記録情報を出力する工程と、を備えたことを特徴とする情報収集方法。
【請求項９】
放送メディアから情報を収集するためのプログラムであって、
前記放送メディアから情報を受信して再生するための手順と、
受信した受信情報を記録する手順と、
前記受信情報から特定の受信情報を抽出するための抽出情報を設定する手順と、
前記特定の受信情報を抽出するために、前記受信情報の中に、前記抽出情報と合致する前記特定の受信情報が存在するかどうかを判別する手順と、
前記抽出情報が合致した時点を基準値として、前記基準値から遡る第１の設定時間を設定する手順と、
前記第１の設定時間遡った時点からの記録時間を設定する手順と、
前記抽出情報と合致する前記特定の受信情報が存在すると判別された場合に、前記受信情報のうち、前記抽出情報に合致する前記特定の受信情報を含む記録情報を、前記記録時間、記録する手順と、
前記記録情報を出力する手順と、をコンピュータに実行させることを特徴とするプログラム。
【発明の詳細な説明】
【技術分野】
【０００１】
本発明は、ラジオやテレビ等の放送メディアから音声や画像等の情報を収集する情報収集装置に関するものであり、主に災害時における情報収集に極めて有用な技術である。
【背景技術】
【０００２】
従来、防災情報の伝達は、衛星通信やインターネットのように災害が発生しても障害が発生し難い通信メディアと、テレビジョン放送、ＦＭラジオ放送、文字放送その他の放送メディアとによって実現されている。
【０００３】
これらの放送メディアの内、衛星通信は、主に国や自治体といった主要機関の間の情報伝達に使用されているため、一般的なユーザ向けとは言えない。
また、インターネットは、様々な情報源から類似した情報が統制されることなく個別に発信されるため、情報の信頼性に乏しい面がある。
【０００４】
テレビジョン放送やＦＭラジオ放送は、同じ情報を一斉に伝達可能であるため、視聴者に対して被災地の情報を広範囲に伝えるのに有効である。
文字放送は、テレビジョン放送やＦＭラジオ放送の放送波に多重化されたチャネルを介して行われる。これによって、緊急時における重要な情報が、受信装置において繰り返し表示されるため、被災地等に対して防災、地域生活、行政などにかかわる情報を提供するのに有用である。
【０００５】
一方、一般的な市民が扱える通信手段には、例えば、一般加入電話、携帯電話、ファクシミリ、アマチュア無線などがある。
これらの通信手段の内、一般加入電話および携帯電話は、双方向の通信手段として非常に便利であるが、回線の物理的な切断、あるいは輻輳によって通信し難い場合が多い。
【０００６】
ファクシミリは、文字による正確な情報の伝達が可能であるが、送信元と受信先に備えられたファクシミリに対する電源の確保が困難となる可能性がある。
アマチュア無線は、電波法による規制や扱い方の複雑さに問題がある。
【０００７】
以上の問題を解消する案として、下記の先行技術がある。その概要は、以下の通りである。
特許文献１の発明は、防災無線網や消防無線網を介して送られてくる現場側の人の音声を、災害状況データ収集装置によって音声認識するとともにテキスト化し、さらに自動的にデータベース内に蓄積する技術である。
【０００８】
特許文献２の発明は、ＥＷＳ（Ｅｍｅｒｇｅｎｃｙ Ｗｏｒｋｉｎｇ Ｓｙｓｔｅｍ）信号で受信ＦＭラジオを自動起動させ、文字放送でテキスト表示することで、聴覚障害者でも情報を収集することが可能な技術である。
【０００９】
特許文献３の発明は、報告者による災害音声情報を、災害情報収集装置によって音声認識するとともにテキスト化し、さらに報告内容に漏れが生じた際は、再度入力を促し情報の欠如を防止するための技術である。
【特許文献１】特開平９−２４５０６２号公報
【特許文献２】特開２００２−３５９６００号公報
【特許文献３】特開２０００−３５３１８０号公報
【発明の開示】
【発明が解決しようとする課題】
【００１０】
しかしながら従来の技術は、ラジオやテレビジョン等の公共放送を録音・録画する際、放送局が予め決めたトリガを基に記録装置のタイマが起動してしまうため、ユーザの必要な情報のみを選択して記録することができなかった。
【００１１】
また、災害状況下において音声をテキスト化してデータベース内に蓄積する技術は存在するが、主な通信媒体は、防災無線および消防無線を利用した技術のため、利用範囲が限られていた。
【００１２】
そこで本発明では、災害情報に限らず、様々な放送メディアから、ユーザの指定する抽出情報をトリガとして情報を自動で収集させ、収集した情報をジャンル毎に、たとえば文字列、音声、画像として記録することで、ユーザーフレンドリーな情報提供をすることができる情報収集装置の提供を目的とする。
【課題を解決するための手段】
【００１３】
上記課題を解決する本発明の情報収集装置は、以下の構成を採用する。
すなわち、本発明の一態様によれば、放送メディアから情報を受信して再生するための受信手段と、受信手段によって受信した受信情報を記録する第１の記録手段と、受信情報から特定の受信情報を抽出するための抽出情報を設定する抽出情報設定手段と、特定の受信情報を抽出するために、受信情報の中に、抽出情報と合致する特定の受信情報が存在するかどうかを判別する判別手段と、抽出情報が合致した時点を基準値として、基準値から遡る第１の設定時間を設定する第１の時間設定手段と、第１の設定時間遡った時点から基準値までの記録時間を設定する記録時間設定手段と、判別手段によって、抽出情報と合致する特定の受信情報が存在すると判別された場合に、受信情報のうち、抽出情報に合致する特定の受信情報を含む記録情報を、記録時間、記録する第２の記録手段と、記録情報を出力する出力手段と、を備える。
【００１４】
ここで、設定手段の抽出情報は、少なくとも、文字列、音声、静止画および動画を含む画像、の中から１つ以上設定することが望ましい。これによって、様々な放送メディアから情報を収集する際に、抽出情報に基づいて、たとえば文字列、音声、画像、に分類して記録することができる。
【００１５】
また、基準値から開始される第２の設定時間を設定する第２の時間設定手段をさらに備え、第２の記録手段は、第２の設定時間も記録することが望ましい。
また、記録時間設定手段は、第１の設定時間と第２の設定時間以内に、さらに他の抽出情報が判別されると、最後に判別された他の抽出情報から記録時間を延長する記録時間延長手段を備えることが望ましい。これによって、第２の設定時間を自動で延長することができる。
【００１６】
さらに、判別手段は、抽出情報に文字列を設定したとき、受信情報から抽出情報に該当する音声を判別すると共に音声を文字列に変換して抽出情報を判別することが望ましい。これによって、抽出情報を文字列で設定した場合に、抽出情報との一致判別ができる。
【００１７】
また、情報収集装置は、受信手段としてのチューナ回路部と、設定手段と、判別手段と、第２の記録手段と、出力手段を備えた収集装置と、から構成され、チューナ回路部及び収集装置の両方の動作を可能にする第１の動作モードと、チューナ回路部と収集装置の出力手段のみの動作を可能にする第２の動作モードと、第１の動作モードにおいて、出力手段を除くすべての動作を可能にする第３の動作モードと、を切り替えることが望ましい。これによって、第２または第３のモードを選択することで情報収集装置の消費電力を低減することができる。
【００１８】
以上によってユーザは、記録された情報を簡易かつ自由に選択して再生することができる。
【発明の効果】
【００１９】
本発明によれば、様々な放送メディアから情報を自動で収集し、収集した情報を記録することができる。これによってユーザは、記録された情報を、簡易かつ自由に選択して再生することができる。
【発明を実施するための最良の形態】
【００２０】
以下に図を参照しながら詳細な説明をする。
図１は、本発明の情報収集装置１を示すブロック図である。ここで、本発明において情報収集する放送メディアとは、たとえば、衛星放送、テレビジョン放送、ＦＭラジオ放送、文字放送等の無線放送以外に、ネットワークを構成する、ＬＡＮ（Ｌｏｃａｌ Ａｒｅａ Ｎｅｔｗｏｒｋ）、ＷＡＮ（Ｗｉｄｅ Ａｒｅａ Ｎｅｔｗｏｒｋ）、インターネット等の有線放送を含むものとする。
【００２１】
本発明の情報収集装置１は、チューナ回路部３と、スピーカ４と、情報収集部５と、制御部６と、インターフェース部７と、を備える。
チューナ回路部３は、アンテナ８とネットワーク端末装置９とスピーカ４に接続されている。またチューナ回路部３は、情報収集部５と制御部６に接続され、情報収集部５は制御部６に接続されている。さらに制御部６は、インターフェース部７に接続されている。
【００２２】
チューナ回路部３は、所望の受信周波数に同調させて、受信信号が音声のとき音声信号に変換するための回路である。チューナ回路部３は、選局部１０と信号復調回路１１とステレオ回路１２とアンプ１３と、を備える。アンテナ８とネットワーク端末装置９は選局部１０に接続される。また選局部１０は、信号復調回路１１に接続され、信号復調回路１１はステレオ回路１２に接続されている。ステレオ回路１２はアンプ１３に接続され、アンプ１３はスピーカ４に接続されている。
【００２３】
アンテナ８は無線放送を受信する場合に使用し、ネットワーク端末装置９は有線放送を受信する場合に使用する。
選局部１０は、所望の受信周波数に同調させる回路である。同調信号は、信号復調回路１１で復調される。復調信号は、ステレオ回路１２で音声信号に変換される。音声信号は、アンプ１３で増幅されてスピーカ４から出力される。
【００２４】
情報収集部５は、所望の受信信号として例えば音声、画像のデータをデータベースとして構築する回路である。情報収集部５は、ＡＤ変換回路１４と音声−テキスト変換部１５と情報処理部１６とメモリ１７と、を備える。
【００２５】
チューナ回路部３の信号復調回路１１で復調された信号は、情報収集部５のＡＤ変換回路１４に入力する。ＡＤ変換回路１４に入力した信号は、デジタル信号に変換される。抽出情報（以降、キーワードと称す）設定によって、情報処理部１６に入力する信号の経路が異なる。例えば、キーワード設定がテキスト（文字列）の場合は、音声−テキスト変換部１５で、デジタル信号がテキストデータに変換されて情報処理部１６に入力する。一方、キーワード設定が画像の場合は、デジタル信号は、ＡＤ変換回路１４から情報処理部１６に入力する。また、キーワード設定が音声の場合は、信号復調回路１１からの音声出力が、情報処理部１６に入力する。キーワード設定が動画の場合は、ＡＤ変換回路１４の出力が、情報処理部１６に入力する。
【００２６】
情報処理部１６は、後述するインターフェース部７の入力部１９で設定したキーワードに基づいて情報処理部１６に入力する入力信号の判定処理をする。この判定処理で、キーワードと合致する情報が存在すると、合致する情報をメモリ１７に一定時間分記録する。メモリ１７は、例えばハードディスク、ＭＯ、ＦＤ、ＣＤ−ＲＯＭ／ＲＷ、ＤＶＤ−ＲＯＭ／ＲＷ、フラッシュメモリ等の記録媒体である。
【００２７】
制御部６は、制御回路１８に含まれるＣＰＵ、ＲＡＭ、設定メモリ等を利用して、各部の制御をするための回路である。
インターフェース部７は、ユーザが入力部１９を介して設定情報を入力したり、メモリ１７に記録された情報を表示部２０に表示するための装置である。入力部１９は、例えばキーボード、マウス、キーパッドである。表示部２０は、例えばモニタ、タッチパネルである。
【００２８】
続いて情報収集装置１の機能を設定する各種の設定情報の具体的な内容について説明する。
入力部１９では、キーワード入力、チャンネル選択、システム設定機能、記録時間設定、表示情報の選択をする。
【００２９】
キーワードは単語およびプロパティで指定する。単語は、プロパティで指定できない用語等を、例えばキーボードで入力する。プロパティの項目としては、例えば、音声、音声+画像(動画および静止画を含む)、テキスト、ジャンル（音楽、グルメ、トーク等）が指定できる。なお、キーワードは、単語のみ、あるいはプロパティのみの指定で設定してもよい。さらに、単語と共に、プロパティの項目で複数の項目を指定して設定することもできる。
【００３０】
チャンネルは、受信信号の周波数チャンネルを示す。
システム設定機能は、情報収集装置１とチューナ回路部３の独立運用の切り替えをするための機能である。図２はシステム設定機能の一例を示す図であり、この設定を例えば「モード１」にすると、受信と情報収集とデータ記録と外部出力の機能を動作させた情報収集装置１として機能する。また、例えば「モード２」にすると、受信と外部出力の機能を動作させたチューナ回路部３の独立運用となる。このチューナ回路部３を備えた装置としては、例えばラジオが相当する。すなわち、設定を切り替えることによって、通常のラジオとして使用することもできる。このようにすると、外部電源として携帯型のバッテリで運用する際に、バッテリの消費電力を抑えることができる。特に災害時において、避難場所や食料の配布場所などの重要な情報のみを記録したいときには有用である。さらに、例えば「モード３」にすると、前述の「モード１」から外部出力の機能を除いた情報収集装置１として機能する。このようにすると、受信と情報収集、データ記録機能のみ動作させることで消費電流を抑えて重要な情報を自動記録することができる。このモードは特に災害時に避難または作業中にラジオが聞けない場合でも食料の配布場所等の情報を聞き漏らさず収集できる。また、「モード3」で使用させておき、キーワードの一致と共に全機能を動作させることで重要な情報をリアルタイムに入手することもできる。
【００３１】
記録時間は、メモリ１７に記録する情報の記録時間である。
制御部６では、チューナ回路部３に対して受信信号の選局と受信信号のＯＮ／ＯＦＦ設定をする。この設定に基づいて選局部１０が制御される。また、情報収集部５に対しては、キーワード登録、記録モード設定、記録時間、メモリ再生の設定をする。この設定に基づいて情報処理部１６が制御される。
【００３２】
記録モード設定は、例えば、ビットレート、サンプリング周波数、データファイル形式（ＭＰ３、ＷＭＡ、ＡＶＩ、ＪＰＥＧ等）、サイズ（ＱＶＧＡ、ＶＧＡ等、ただし画像のみ）である。
【００３３】
図３は、情報処理部１６の判定処理によって、情報をメモリ１７に記録する処理の詳細を示す図である。本発明の情報収集装置１は、システム設定機能が「ＯＮ」のときは常にキーワード判定をしながらメモリ１７の一定領域に記録をし続けている。このとき、キーワードが合致することなく設定した時間が経過すると、過去に記録したデータを消去することで記録を継続する。
【００３４】
一方、キーワードが合致すると、キーワードがヒットしてから一定時間遡ると共に設定時間分メモリ１７に記録される。ここで一定時間遡る時間、すなわちキーワードがヒットした時点から遡る時間（第１の設定時間）と、キーワードがヒットした時点から記録終了時点までの時間（第２の設定時間）は任意に設定可能である。よって、メモリ１７に記録される記録時間は第１の設定時間と第２の設定時間の合計時間分である。記録時間の経過後、自動ネーミング機能により、データファイル名を付してメモリ１７に記録される。
【００３５】
なお、同一のキーワードが記録時間中にヒットした場合は、記録時間を延長することができる。この場合、最後にヒットした時点から記録時間をカウントする。
図４は、自動ネーミング機能によりデータファイル名が付されたメモリ１７の記録情報を示す図である。
【００３６】
データファイル名は、例えば、キーワード名、ジャンル、記録日、記録開始時間、拡張子の組み合わせで構成される。本実施例では、キーワードＡの集合に、「キーワードＡ＿Ｍｕｓｉｃ＿２００５１１０４＿１８３０２８.ｍｐ３」、「キーワードＡ＿Ｍｕｓｉｃ＿２００５１１０７＿１２３０５２.ｍｐ３」、「キーワードＡ＿Ｍｕｓｉｃ＿２００５１１０７＿１３２５１８.ｍｐ３」、「キーワードＡ＿Ｔａｌｋ＿２００５１１０７＿１４１５２０.ｔｘｔ」が記録されている。
【００３７】
例えば、「キーワードＡ＿Ｍｕｓｉｃ＿２００５１１０４＿１８３０２８.ｍｐ３」について、“キーワードＡ”はキーワード名で、“Ｍｕｓｉｃ”はジャンルで、“２００５１１０４”は記録日で、“１８３０２８”は記録開始時間で、“ｍｐ３”は拡張子である。ここで、記録日の“２００５１１０４”は、２００５年１１月４日を示す。また、記録開始時間の“１８３０２８”は、１８時３０分２８秒を示す。
【００３８】
なお、データファイル名は上記実施例に限定されるものではなく、キーワード名、ジャンル、記録日、記録開始時間、拡張子の少なくとも１つで構成されてもよい。
同様にキーワードＢの集合に、「キーワードＢ＿Ｇｏｕｒｍｅｔ＿２００５１１０１＿１８３０２８.ａｖｉ」、「キーワードＢ＿Ｇｏｕｒｍｅｔ＿２００５１１０２＿１２３０５２.ａｖｉ」、「キーワードＢ＿Ｍｕｓｉｃ＿２００５１１０２＿１３２５１８.ａｖｉ」、「キーワードＢ＿Ｔａｌｋ＿２００５１１０２＿１４１５２０.ｗａｖ」が記録されている。
【００３９】
以降、他にキーワードが存在するときは、上記と同様にキーワード別で記録される。
本実施例ではキーワードでソートした場合を示しており、上記以外に、ジャンル、データファイル形式、日付等でソートすることができる。
【００４０】
図５（ａ）は、表示部２０に表示された記録情報のデータファイルリストの一例を示す図である。
表示される項目で「検索条件」は、メモリ１７に記録された情報を検索するための検索条件を入力する欄である。本実施例ではキーワードによる検索結果の表示を示す。検索条件はこの実施例に限定されるものではなく、例えば、ジャンル、データファイル形式、日付等を設定可能である。
【００４１】
「ターゲット」は、検索条件であるキーワードを入力する欄である。本実施例では、“キーワードＡ”を入力した状態が表示されている。
ここで、検索ヒットしたデータファイルは、種別（ジャンル）毎に表示することができる。例えば、“キーワードＡ”のデータファイルは、「Ｓｏｕｎｄ」、「Ｔｅｘｔ」、「Ｐｉｃｔｕｒｅ」、「Ｍｏｖｉｅ」の４種別に分類されるものとする。各分類は、図４で述べたデータファイル名および拡張子名に基づいてソーティングされる。
【００４２】
「Ｓｏｕｎｄ」の種別欄には、「Ｎｏ．」、「ジャンル」、「記録日」、「時間」、「記録時間」の項目が表示されている。「Ｎｏ．」は、該当するデータファイルの内、「Ｓｏｕｎｄ」で分類されるデータファイルに付される番号である。本実施例ではメモリ１７に記録した日時の早い順に５つ表示されている。「ジャンル」は、Ｍｕｓｉｃすなわち、音楽であることを示す。「記録日」は、メモリ１７に記録した日付である。「時間」は、メモリ１７に記録した時刻である。「記録時間」は、データファイルの記録時間である。
【００４３】
続いて「Ｔｅｘｔ」の種別欄には、「Ｎｏ．」、「ジャンル」、「記録日」、「時間」、「Ｗｏｒｄ数」の項目が表示されている。「Ｎｏ．」は、該当するデータファイルの内、「Ｔｅｘｔ」で分類されるデータファイルに付される番号である。本実施例では１つ表示されている。「ジャンル」は、Ｔａｌｋすなわち、音声であることを示す。「記録日」は、メモリ１７に記録した日付である。「時間」は、メモリ１７に記録した時刻である。「Ｗｏｒｄ数」は、データファイルの記録情報をテキスト変換したときの文字数である。
【００４４】
また、「Ｐｉｃｔｕｒｅ」の種別欄には、「Ｎｏ．」、「ジャンル」、「記録日」、「時間」、「枚数」の項目が表示されている。「Ｎｏ．」は、該当するデータファイルの内、「Ｐｉｃｔｕｒｅ」で分類されるデータファイルに付される番号である。本実施例では該当するデータファイルが存在しなかったものとする。「ジャンル」は、Ｐｉｃｔｕｒｅすなわち、画像であることを示す。「記録日」は、メモリ１７に記録した日付である。「時間」は、メモリ１７に記録した時刻である。「枚数」は、データファイルの記録画像の枚数である。
【００４５】
また、「Ｍｏｖｉｅ」の種別欄には、「Ｎｏ．」、「ジャンル」、「記録日」、「時間」、「記録時間」の項目が表示されている。「Ｎｏ．」は、該当するデータファイルの内、「Ｍｏｖｉｅ」で分類されるデータファイルに付される番号である。本実施例ではメモリ１７に記録した日時の早い順に２つ表示されている。「ジャンル」は、ＭｕｓｉｃおよびＧｏｕｒｍｅｔすなわち、音楽および料理であることを示す。「記録日」は、メモリ１７に記録した日付である。「時間」は、メモリ１７に記録した時刻である。「記録時間」は、データファイルの記録時間である。
【００４６】
なお、キーワードに合致した記録情報の内、音声信号以外のものはリアルタイムで出力されることはなく、メモリ１７に一旦記憶されたテキストまたは画像データが表示部２０に出力される。
【００４７】
また、表示される項目は以上に述べた形態に限定されるものではなく、縦と横の列が逆の表示になってもよい。さらに、１つ以上の表示項目を限定して表示することもできる。また、１画面に表示しきれない数のデータファイルが存在する場合は、次画面にスクロール等で画面送りさせて表示する。このように、種別（ジャンル）毎に情報収集を自動で行うため、情報を整理する手間が省け、効率よく必要な情報を集めることができる。
【００４８】
ここで、所望のデータファイルを再生する場合は、入力部１９のカーソルキー等で、図示した選択枠４１を、該当するデータファイルの所に移動させて選択する。また、選択したデータファイルを削除、コピー等をすることもできる。特に、「Ｔｅｘｔ」の種別欄のデータファイルについては、図５（ｂ）に示すように、テキストデータを表示させ、さらにそのテキストデータの一部分を、図示した選択枠４１で選択することができる。
【００４９】
ところで、本発明の情報収集装置１は、この表示部２０以外に、外部出力ポートを設けて、例えばパーソナルコンピュータあるいはカーナビゲーションシステムにテキストデータを送信することができる。このとき、地図情報を表示したパーソナルコンピュータあるいはカーナビゲーションシステムのモニタに、場所のキーワードと合致する場所の位置を表示することができる。その際、予め各場所を示すテキストデータと、パーソナルコンピュータあるいはカーナビゲーションシステム内の地図データベース中の特定の地図データとを対応づけておくものとする。これによって、図５（ｂ）において、例えば「ＸＸ県ＹＹ市Ｚ丁目」を選択すると、該当する位置を表示することができる。したがって、不案内な場所でも分かりやすく目的地を把握することができる。
【００５０】
図６は、本発明の情報収集の動作を示すフローチャートである。以下に各ステップ（ＳＴと示す）における動作の詳細を説明する。
先ず、入力部１９によって情報収集機能の設定をする（ＳＴ１）。
【００５１】
次に、情報収集機能の設定を「モード１あるいはモード３」にして入力部１９からキーワードを設定する（ＳＴ２）。ここでキーワードは、キーボード等を使用して新たに単語を入力する設定方法と、既存の設定項目（プロパティ等）から選択する設定方法がある。なお、情報収集機能の設定を「モード２」にすると、情報収集装置１は、チューナ回路部のみ機能する（ＳＴ３）。
【００５２】
情報収集装置１で例えば音声を記録する場合、先ず、表示部２０に設定情報を表示させる。次に、キーワード設定のプロパティで「音声」を選択する。設定後、記録を開始する。このとき情報収集装置１は、キーワード判定をしながら記録を続け、キーワードが一致することなく記録の設定時間が経過すると、過去に記録した情報を消去することで記録を継続する（ＳＴ４）。なお、音声と映像を記録するには、キーワード設定のプロパティを「音声+画像」に設定すればよい。
【００５３】
音声をさらにテキスト変換して保存する場合、音声−テキスト変換部１５によって音声信号はテキストデータに変換される（ＳＴ５）。ここで、テキスト変換をせずに音声および画像として記録する場合は、ＳＴ５の処理は行わずにＳＴ６に進む。受信信号を記録してキーワードが合致すると（ＳＴ６でＹＥＳ）、キーワードがヒットしてから一定時間遡ると共に設定時間分メモリ１７に記録される（ＳＴ７）。ここで一定時間遡る時間と、メモリ１７に記録する設定時間は任意に設定可能である。記録情報は、記録開始時間、キーワード等をインデックスとしてファイリングする。なお、受信信号を記録してキーワードが合致しなかった場合は（ＳＴ６でＮＯ）、ＳＴ４に戻って同様の動作を繰り返す。
【００５４】
情報収集部５の記録再生モードが「ＯＮ」のとき（ＳＴ８）、表示部２０にメモリ１７に記録された記録情報のインデックスが表示される（ＳＴ９）。なお、記録再生モードが「ＯＦＦ」のときは、ＳＴ４に戻って同様の動作を繰り返す。
【００５５】
記録情報である音声の再生またはテキストデータを表示する場合は、ＳＴ９で表示部２０に表示された所望のインデックスを選択して実行する（ＳＴ１０）。
また、外部出力ポートに接続されたパーソナルコンピュータ、カーナビゲーション等に地図情報を表示させることで場所を表すテキストデータに基づいて該当する位置を表示したり検索することができる（ＳＴ１１）。
【００５６】
さらに、不要な記録情報を削除したり、記録情報をコピーすることもできる（ＳＴ１２）。
したがって本発明によれば、様々な放送メディアから情報を収集し、収集した情報をユーザの設定したジャンル毎に、たとえば音声、画像およびテキストデータとして記録することができる。
【００５７】
以上、本発明を適用した実施の形態を説明してきたが、本発明は、以上に述べた各実施の形態に限定されるものではなく、本発明の要旨を逸脱しない範囲内で種々の構成または形状を取ることができる。
【図面の簡単な説明】
【００５８】
【図１】本発明に係る情報収集装置のブロック図である。
【図２】システム設定機能の一例を示す図である。
【図３】情報記録処理を示す図である。
【図４】自動ネーミング機能によりデータファイル名が付されたメモリの記録情報を示す図である。
【図５】記録情報のデータファイルリストの一例を示す図である。
【図６】情報収集の動作を示すフローチャートである。
【符号の説明】
【００５９】
１      情報収集装置
３      チューナ回路部
４      スピーカ
５      情報収集部
６      制御部
７      インターフェース部
８      アンテナ
９      ネットワーク端末装置
１０    選局部
１１    信号復調回路
１２    ステレオ回路
１３    アンプ
１４    ＡＤ変換回路
１５    音声−テキスト変換部
１６    情報処理部
１７    メモリ
１８    制御回路
１９    入力部
２０    表示部
【図１】
2007172278.tif 000003
【図２】
2007172278.tif 000004
【図４】
2007172278.tif 000005
【図５】
2007172278.tif 000006
【図６】
2007172278.tif 000007
【図３】
2007172278.tif 000008